(57)【要約】【課題】フェージングピッチ推定精度の低下を抑制する。【解決手段】無線端末１の受信部１ａは、基地局３への制御信号の送信に関する送信情報を基地局３から受信する。送信制御部１ｂは、制御信号を送信情報に基づく送信周期より短い実送信周期でバースト送信するとともに、同一帯域の制御信号を送信情報に基づく同一帯域送信周期より短い実同一帯域送信周期でバースト送信する。基地局３の周期情報生成部３ａは、無線端末１，２が当該基地局３に送信する制御信号の送信周期と、同一帯域の制御信号を送信するための同一帯域送信周期を算出するための情報とを生成する。係数生成部３ｂは、無線端末１，２が送信周期および同一帯域送信周期より短い周期の実送信周期および実同一帯域送信周期を算出するための係数を生成する。送信部３ｃは、送信周期、情報、および係数を含む送信情報を無線端末１，２に送信する。【選択図】図１
2012109644.tif 000002
【特許請求の範囲】
【請求項１】
基地局と無線通信を行う無線端末において、
前記基地局への制御信号の送信に関する送信情報を前記基地局から受信する受信部と、
前記制御信号を前記送信情報に基づく送信周期より短い実送信周期でバースト送信するとともに、同一帯域の前記制御信号を前記送信情報に基づく同一帯域送信周期より短い実同一帯域送信周期でバースト送信する送信制御部と、
を有することを特徴とする無線端末。
【請求項２】
前記送信周期と送信周期分割係数とに基づいて前記実送信周期を算出する送信周期算出部と、
前記同一帯域送信周期と前記送信周期分割係数とに基づいて前記実同一帯域送信周期を算出する同一帯域送信周期算出部と、
前記同一帯域送信周期とバースト送信ブロック長係数とに基づいてバースト送信周期を算出するバースト周期算出部と、
をさらに備え、
前記送信制御部は、前記バースト送信周期を前記送信周波数分割係数で分割し、分割した前記バースト送信周期内において、前記制御信号を前記実送信周期で前記基地局にバースト送信するとともに、同一帯域の前記制御信号を前記実同一帯域送信周期でバースト送信する、
ことを特徴とする請求項１記載の無線端末。
【請求項３】
前記送信周期算出部は、前記送信周期を前記送信周期分割係数で除算して前記実送信周期を算出し、
前記同一帯域送信周期算出部は、前記同一帯域送信周期を前記送信周期分割係数で除算して前記実同一帯域送信周期を算出し、
前記バースト周期算出部は、前記同一帯域送信周期にバースト送信ブロック長係数を乗算して前記バースト送信周期を算出する、
ことを特徴とする請求項２記載の無線端末。
【請求項４】
前記送信周期分割係数および前記バースト送信ブロック長係数は、前記送信情報に含められ、前記基地局から送信されることを特徴とする請求項２または３に記載の無線端末。
【請求項５】
前記送信周期分割係数および前記バースト送信ブロック長係数は予め決められており、記憶装置に記憶されていることを特徴とする請求項２または３に記載の無線端末。
【請求項６】
前記送信情報には、前記制御信号をバースト送信するか否かを指示する指示情報が含まれていることを特徴とする請求項２または３に記載の無線端末。
【請求項７】
前記送信制御部は、前記送信情報に前記制御信号をバースト送信する旨の前記指示情報が含まれている場合、前記制御信号を前記実送信周期で前記基地局にバースト送信するとともに、前記制御信号の同一帯域を前記実同一帯域送信周期でバースト送信することを特徴とする請求項６記載の無線端末。
【請求項８】
無線端末と無線通信を行う基地局において、
前記無線端末が当該基地局に送信する制御信号の送信周期と、前記無線端末が同一帯域の前記制御信号を送信する同一帯域送信周期を算出するための情報とを生成する周期情報生成部と、
前記無線端末が前記送信周期および前記同一帯域送信周期より短い周期の実送信周期および実同一帯域送信周期を算出するための係数を生成する係数生成部と、
前記送信周期、前記情報、および前記係数を含む送信情報を前記無線端末に送信する送信部と、
を有することを特徴とする基地局。
【請求項９】
無線端末と無線通信を行う基地局において、
送信周期で制御信号を送信するとともに、同一帯域送信周期で同一帯域の前記制御信号を送信する第１の無線端末と無線通信を行い、前記送信周期より短い実送信周期で前記制御信号をバースト送信するとともに、前記同一帯域送信周期より短い実同一帯域送信周期で同一帯域の前記制御信号をバースト送信する第２の無線端末と無線通信を行う通信部と、
前記第１の無線端末に対しては、バースト送信が非適用のサブフレームを割り当て、前記第２の無線端末に対しては、バースト送信が適用されるサブフレームを割り当てる割り当て部と、
を有することを特徴とする基地局。
【請求項１０】
無線端末と無線通信を行う基地局において、
送信周期で制御信号を送信するとともに、同一帯域送信周期で同一帯域の前記制御信号を送信する第１の無線端末と無線通信を行い、前記送信周期より短い実送信周期で前記制御信号をバースト送信するとともに、前記同一帯域送信周期より短い実同一帯域送信周期で同一帯域の前記制御信号をバースト送信する第２の無線端末と無線通信を行う通信部と、
前記第１の無線端末に対しては、前記制御信号を送信するリソースブロックのバースト送信が非適用のリソースエレメントを割り当て、前記第２の無線端末に対しては、前記制御信号を送信するリソースブロックのバースト送信が適用されるリソースエレメントを割り当てる割り当て部と、
を有することを特徴とする基地局。
【発明の詳細な説明】
【技術分野】
【０００１】
本件は、制御信号を送受信する無線端末および基地局に関する。
【背景技術】
【０００２】
３ＧＰＰ（3rd Generation Partnership Project）では、急速に増加しているマルチメディアトラフィックに対応するため、高速データレートおよび周波数利用効率の飛躍的な向上および低遅延の実現を目的としたＬＴＥ（Long Term Evolution）仕様の技術検討が行われている（例えば、非特許文献１〜３参照）。
【０００３】
ＬＴＥでは、無線アクセス方式にＯＦＤＭ（Orthogonal Frequency Division Multiplexing）やＭＩＭＯ（Multiple Input Multiple Output）といった新しい技術を取り入れ、飛躍的な性能改善を図っている。ＯＦＤＭでは、高速データレートの広帯域信号を多数の低速データレートのマルチキャリア信号を用いて並列伝送することにより、マルチパス干渉に対する耐性を実現する。また、ＯＦＤＭでは、各ＯＦＤＭシンボルの先頭にＣＰ（Cyclic Prefix）と呼ばれるガード区間を設けることにより、全シンボルの遅延波が次シンボルに与えるシンボル干渉やサブキャリア間干渉を除去する。ＭＩＭＯ多重伝送では、複数の送信アンテナから同一の無線リソース（時間、周波数、コード）を用いて、異なる情報データを送信することによりスループットを向上する。
【０００４】
ＬＴＥのＤＬ（DownLink）およびＵＬ（UpLink）伝送における最小の時間−周波数単位は、リソースエレメント（ＲＥ）と呼ばれ、連続したサブキャリアとシンボルグループがリソースブロック（ＲＢ）を形成する。データを送信する領域は、基地局（evolved Node-B：以下、ｅＮＢ）から、各無線端末（User Equipment：以下、ＵＥ）に対して、ＲＢの単位で割り当てられる。
【０００５】
ＬＴＥのＤＬおよびＵＬは、物理チャネルと物理信号との２組の物理層チャネルを有している。物理チャネルは、上位層から、例えば、ユーザデータやユーザ制御情報の情報伝送に使用され、物理信号は、上位層からの情報を伝送せず、一般的にセルサーチやチャネル推定、周波数依存スケジューリング（frequency dependent scheduling）に使用される。なお、ユーザ制御情報とそのユーザ制御情報を復調するための物理信号との組み合わせを（物理）制御信号と呼ぶことがある。また、物理信号のみを（物理）制御信号と呼ぶことがある。また、（物理）制御信号を（物理）制御チャネルと呼ぶことがある。
【０００６】
ＵＬ伝送の物理信号には、データ復調基準信号（Demodulation Reference Signal：以下、ＤＲＳ）およびサウンディング基準信号（Sounding Reference Signal：以下、ＳＲＳ）がある。ＤＲＳは、データ復調のためのチャネル推定に使用され、ＳＲＳは、周波数依存スケジューリングに使用される。また、ＤＲＳやＳＲＳは、受信品質やスループット向上を目的として、時間相関関係を用いたフェージングピッチ推定に活用される場合もある。
【０００７】
ＳＲＳの送信周期は、例えば、ＲＲＣ（Radio Resource Control）の確立手順等によって、ｅＮＢからＵＥに通知される。ＵＥは、この通知に基づいてＳＲＳをｅＮＢへ送信する。
【０００８】
なお、従来、基地局と複数のユーザ機器送受信機とを含む無線ネットワークにおいて、アンテナ選択のシグナリングおよびプロトコルを提供するシステムが提案されている（例えば、特許文献１参照）。
【０００９】
また、従来、無線通信システムにおいてＳＲＳを伝送する方法が提供されている（例えば、特許文献２参照）。
さらに、到来した受信波のフェージング周波数を推定するフェージング周波数推定装置およびその推定方法に関し、構成が大幅に複雑化することなく、効率的に、かつ精度よくフェージング周波数を推定できる装置が提案されている（例えば、特許文献３参照）。
【先行技術文献】
【特許文献】
【００１０】
【特許文献１】特開２００９−６０５９５号公報
【特許文献２】特表２０１０−５２０６９９号公報
【特許文献３】特開２００６−５６６４号公報
【非特許文献】
【００１１】
【非特許文献１】3rd Generation Partnership Project, "Physical Channels and Modulation(Release 9)", 3GPP TS36.211, 2010-03, V9.1.0
【非特許文献２】3rd Generation Partnership Project, "Physical Layer Procedures(Release 9)", 3GPP TS36.213, 2010-06, V9.2.0
【非特許文献３】3rd Generation Partnership Project, "Radio Resource Control(RRC) Protocol specification(Release 9)", 3GPP TS36.331, 2010-06, V9.3.0
【発明の概要】
【発明が解決しようとする課題】
【００１２】
しかし、ＵＬにおいて単位時間あたりに制御信号を送信できるＵＥ数（多重数）は限られている。そのため、制御信号をｅＮＢに送信するＵＥ数が増加すると、各ＵＥの制御信号を送信する周期が長くなり、フェージングピッチ推定精度が低下するという問題点があった。
【００１３】
例えば、ＳＲＳは、ＵＬの無線フレームの所定のサブフレームで周期送信されるが、そのサブフレームでＳＲＳを送信できるＵＥ数は限られている。そのため、ｅＮＢは、セル内のＵＥ数が増加すると、各ＵＥがＳＲＳを周期送信できるように、各ＵＥのＳＲＳの送信周期を長くする。これにより、ｅＮＢは、ＵＥから受信するＳＲＳの周期が長くなり、ＳＲＳの時間相関を用いるフェージングピッチ推定処理においてその精度が低下する。
【００１４】
本件はこのような点に鑑みてなされたものであり、フェージングピッチ推定精度の低下を抑制する無線端末および基地局を提供することを目的とする。
【課題を解決するための手段】
【００１５】
上記課題を解決するために、基地局と無線通信を行う無線端末が提供される。この無線端末は、前記基地局への制御信号の送信に関する送信情報を前記基地局から受信する受信部と、前記制御信号を前記送信情報に基づく送信周期より短い実送信周期でバースト送信するとともに、同一帯域の前記制御信号を前記送信情報に基づく同一帯域送信周期より短い実同一帯域送信周期でバースト送信する送信制御部と、を有する。
【００１６】
また、上記課題を解決するために、無線端末と無線通信を行う基地局が提供される。この基地局は、前記無線端末が当該基地局に送信する制御信号の送信周期と、前記無線端末が同一帯域の前記制御信号を送信する同一帯域送信周期を算出するための情報とを生成する周期情報生成部と、前記無線端末が前記送信周期および前記同一帯域送信周期より短い周期の実送信周期および実同一帯域送信周期を算出するための係数を生成する係数生成部と、前記送信周期、前記情報、および前記係数を含む送信情報を前記無線端末に送信する送信部と、を有する。
【００１７】
また、上記課題を解決するために、無線端末と無線通信を行う基地局が提供される。この基地局は、送信周期で制御信号を送信するとともに、同一帯域送信周期で同一帯域の前記制御信号を送信する第１の無線端末と無線通信を行い、前記送信周期より短い実送信周期で前記制御信号をバースト送信するとともに、前記同一帯域送信周期より短い実同一帯域送信周期で同一帯域の前記制御信号をバースト送信する第２の無線端末と無線通信を行う通信部と、前記第１の無線端末に対しては、バースト送信が非適用のサブフレームを割り当て、前記第２の無線端末に対しては、バースト送信が適用されるサブフレームを割り当てる割り当て部と、を有する。
【００１８】
さらに、上記課題を解決するために、無線端末と無線通信を行う基地局が提供される。この基地局は、送信周期で制御信号を送信するとともに、同一帯域送信周期で同一帯域の前記制御信号を送信する第１の無線端末と無線通信を行い、前記送信周期より短い実送信周期で前記制御信号をバースト送信するとともに、前記同一帯域送信周期より短い実同一帯域送信周期で同一帯域の前記制御信号をバースト送信する第２の無線端末と無線通信を行う通信部と、前記第１の無線端末に対しては、前記制御信号を送信するリソースブロックのバースト送信が非適用のリソースエレメントを割り当て、前記第２の無線端末に対しては、前記制御信号を送信するリソースブロックのバースト送信が適用されるリソースエレメントを割り当てる割り当て部と、を有する。
【発明の効果】
【００１９】
開示の無線端末および基地局によれば、フェージングピッチ推定精度の低下を抑制することができる。
【図面の簡単な説明】
【００２０】
【図１】第１の実施の形態に係る無線端末と基地局との無線通信システムを示した図である。
【図２】制御信号送信を説明する図である。
【図３】第２の実施の形態に係る無線通信システムを示した図である。
【図４】ＵＬエアインターフェースのフレーム構成例を示した図である。
【図５】ＳＲＳ送信を説明する図のその１である。
【図６】ＳＲＳ送信を説明する図のその２である。
【図７】ＳＲＳ送信を説明する図のその３である。
【図８】ＲＲＣコネクション動作を示したシーケンス図である。
【図９】ＲＲＣリコンフィギュレーション動作を示したシーケンス図である。
【図１０】ＵＥ数とＳＲＳの送信周期との関係を説明する図のその１である。
【図１１】ＵＥ数とＳＲＳの送信周期との関係を説明する図のその２である。
【図１２】ＵＥ数とＳＲＳの送信周期との関係を説明する図のその３である。
【図１３】ＵＥ数とＳＲＳの送信周期との関係を説明する図のその４である。
【図１４】ＵＥの機能ブロックを示した図である。
【図１５】ｅＮＢの機能ブロックを示した図である。
【図１６】送信情報の送受信を示したシーケンス図である。
【図１７】ＳＲＳ送信を説明する図のその１である。
【図１８】ＳＲＳ送信を説明する図のその２である。
【図１９】ＳＲＳ送信を説明する図のその３である。
【図２０】ＳＲＳ送信を説明する図のその４である。
【図２１】第３の実施の形態に係る送信情報の送受信を示したシーケンス図である。
【図２２】第４の実施の形態に係る送信情報の送受信を示したシーケンス図である。
【図２３】ＳＲＳ送信を説明する図のその１である。
【図２４】ＳＲＳ送信を説明する図のその２である。
【図２５】第５の実施の形態に係るｅＮＢの機能ブロックを示した図である。
【図２６】送信情報の送受信を示したシーケンス図である。
【図２７】第６の実施の形態に係るＵＥ多重を説明する図である。
【図２８】ｅＮＢの機能ブロックを示した図である。
【図２９】送信情報の送受信を示したシーケンス図である。
【発明を実施するための形態】
【００２１】
以下、実施の形態を、図面を参照して詳細に説明する。
［第１の実施の形態］
図１は、第１の実施の形態に係る無線端末と基地局との無線通信システムを示した図である。図１には、無線端末１，２および基地局３が示してある。無線端末１，２は、基地局３と無線通信を行う。
【００２２】
無線端末１は、受信部１ａおよび送信制御部１ｂを有している。
受信部１ａは、基地局３への制御信号の送信に関する送信情報を基地局３から受信する。制御信号は、例えば、ＳＲＳである。
【００２３】
送信制御部１ｂは、制御信号を送信情報に基づく送信周期より短い実送信周期でバースト送信するとともに、同一帯域の制御信号を送信情報に基づく同一帯域送信周期より短い実同一帯域送信周期でバースト送信する。
【００２４】
無線端末２も無線端末１と同様の受信部および送信制御部を有している。
基地局３は、周期情報生成部３ａ、係数生成部３ｂ、および送信部３ｃを有している。
周期情報生成部３ａは、無線端末１，２が当該基地局３に送信する制御信号の送信周期を生成する。また、周期情報生成部３ａは、無線端末１，２が同一帯域の制御信号を送信する同一帯域送信周期を算出するための情報を生成する。
【００２５】
係数生成部３ｂは、無線端末１，２が送信周期および同一帯域送信周期より短い周期の実送信周期および実同一帯域送信周期を算出するための係数を生成する。
送信部３ｃは、周期情報生成部３ａが生成した送信周期、周期情報生成部３ａが生成した情報、および係数生成部３ｂが生成した係数を含む送信情報を無線端末１，２に送信する。
【００２６】
なお、無線端末１の送信制御部１ｂは、送信情報に含まれる送信周期によって、送信周期を得ることができる。また、無線端末１の送信制御部１ｂは、送信情報に含まれる送信周期、情報、および係数によって、同一帯域送信周期を得ることができる。
【００２７】
図２は、制御信号送信を説明する図である。図２の（Ａ），（Ｂ）の横軸は時間を示し、縦軸は周波数を示す。
制御信号は、ある帯域を持って無線端末１，２から基地局３に送信される。図２の（Ａ），（Ｂ）に示す実線の四角は、無線端末１の制御信号の送信タイミングを示し、点線の四角は、無線端末２の制御信号の送信タイミングを示す。
【００２８】
図２の（Ａ）には、無線端末１，２が送信情報に基づく送信周期で制御信号を送信するとともに、送信情報に基づく同一帯域送信周期で制御信号を基地局３に送信する場合の送信タイミングが示してある。図２の（Ａ）のＴ１は送信周期を示し、Ｔ２は同一帯域送信周期を示している。すなわち、無線端末１，２は、制御信号を送信周期Ｔ１で送信するとともに、同一帯域の制御信号が同一帯域送信周期Ｔ２となるように制御信号を送信している。
【００２９】
なお、Ｔ１＝Ｔ２の場合は、制御信号は一括送信される。例えば、図２の（Ａ）の実線で示す四角は、４個に分割されて送信されているが、Ｔ１＝Ｔ２の場合、４個の四角（全帯域の制御信号）は同時に送信される。
【００３０】
図２の（Ｂ）には、無線端末１，２の送信制御部１ｂが送信情報に基づく送信周期より短い実送信周期で制御信号をバースト送信するとともに、送信情報に基づく同一帯域送信周期より短い実同一帯域送信周期で制御信号を基地局３にバースト送信する場合の送信タイミングが示してある。図２の（Ｂ）のＴ１’（Ｔ１’＝＜Ｔ１）は実送信周期を示し、Ｔ２’（Ｔ２’＝＜Ｔ２）は実同一帯域送信周期を示している。すなわち、無線端末１，２の送信制御部１ｂは、制御信号を実送信周期Ｔ１’でバースト送信するとともに、同一帯域の制御信号が実同一帯域送信周期Ｔ２’となるように制御信号をバースト送信している。
【００３１】
なお、図２の（Ｂ）では、無線端末１の送信制御部１ｂは、領域４で制御信号をバースト送信し、無線端末２の送信制御部は、領域５で制御信号をバースト送信している。また、Ｔ１’＝Ｔ２’の場合は、制御信号は一括送信される。例えば、図２の（Ｂ）の実線で示す四角は、４個に分割されて送信されているが、Ｔ１＝Ｔ２の場合、４個の四角（全帯域の制御信号）は同時に送信される。
【００３２】
図２の（Ｂ）は、図２の（Ａ）に対し、送信情報に基づく送信周期Ｔ１より短い実送信周期Ｔ１’および同一帯域送信周期Ｔ２より短い実同一帯域送信周期Ｔ２’で制御信号をバースト送信（領域４または領域５で送信）している。これにより、基地局３では、領域４，５内における全帯域の制御信号を受信する周期が短くなる。
【００３３】
このように、無線端末１，２は、送信情報に含まれる送信周期より短い実送信周期で制御信号をバースト送信するとともに、送信情報に含まれる同一帯域送信周期より短い実同一帯域送信周期で同一帯域の制御信号をバースト送信する。これにより、基地局３は、無線端末１，２の数が増加しても、無線端末１，２から受信する制御信号の周期をバースト送信周期内で短縮でき、フェージングピッチ推定精度の低下を抑制することができる。
【００３４】
なお、バースト間（領域４，５の間）においては、全帯域の制御信号の受信周期は、図２の（Ｂ）の方が図２の（Ａ）より長くなる。しかし、バースト送信周期内（領域４，５内）では、図２の（Ｂ）の方が図２の（Ａ）より受信周期は短縮され、フェージングピッチ推定精度の低下を抑制することができる。
【００３５】
［第２の実施の形態］
次に、第２の実施の形態を、図面を参照して詳細に説明する。
図３は、第２の実施の形態に係る無線通信システムを示した図である。図３に示すように、無線通信システムは、ＵＥ１１〜１３およびｅＮＢ２１を有している。ＵＥ１１〜１３は、例えば、携帯電話などの無線端末である。ＵＥ１１〜１３は、例えば、ＬＴＥの通信方式によってｅＮＢ２１と無線通信を行う。
【００３６】
ＵＥ１１〜１３は、制御信号をｅＮＢ２１に送信する。ｅＮＢ２１は、ＵＥ１１〜１３から受信した制御信号に基づいて、ＵＥ１１〜１３のＳＩＲ（Signal to Interference Ratio）を測定する。以下では、制御信号をＳＲＳとして説明する。
【００３７】
ｅＮＢ２１は、ＵＥ１１〜ＵＥ１３から受信したＳＲＳに基づいて測定したＳＩＲに基づいて、ＵＥ１１〜１３のスケジューリングを行う。ＵＥ１１〜１３は、ｅＮＢ２１のスケジュリーリングに従って、ユーザデータをｅＮＢ２１から受信し、また、ユーザデータをｅＮＢ２１に送信する。
【００３８】
ＵＥ１１〜１３およびｅＮＢ２１の詳細を説明する前に、ＳＲＳ送信について説明する。その後、ＵＥ数とＳＲＳの送信周期との関係について説明し、ＵＥ１１〜１３およびｅＮＢ２１の詳細を説明する。まず、ＳＲＳ送信について説明する。
【００３９】
図４は、ＵＬエアインターフェースのフレーム構成例を示した図である。図４に示すように、無線フレーム３１は、１０個のサブフレームを有している。１個のサブフレーム長は、１ｍｓであり、無線フレーム３１のフレーム長は、１０ｍｓである。
【００４０】
サブフレームは、図４に示すように、前半スロットと後半スロットとに分けられる。各スロット長は、０．５ｍｓである。
前半スロットおよび後半スロットは、複数のシンボルで形成される。図４の例の場合、各スロットは、７個（＃０〜＃６）のシンボルで形成されている。
【００４１】
各スロットのシンボル長は、ＣＰ長によって決定される。図４に示す各スロットに付した斜線部分は、ＣＰを示している。
各スロットの中心シンボルは、共有チャネルのＤＲＳ送信シンボルとして割り当てられる。例えば、図４に示すように、前半スロットの中心シンボル＃３と後半スロットの中心シンボル＃３は、ＤＲＳ送信シンボルとして割り当てられる。
【００４２】
各サブフレームの最終シンボルは、ＳＲＳ送信シンボルが割り当てられる。例えば、図４に示すように、後半スロットの＃６は、ＳＲＳ送信シンボルが割り当てられる。
ＵＥは、どのサブフレームでＳＲＳを送信するか、ｅＮＢから通知される。例えば、ＵＥは、ｅＮＢから、図４に示す‘２’のサブフレームでＳＲＳを送信するように通知される。この場合、ＵＥは、図４に示す‘２’のサブフレームの後半スロット＃６でＳＲＳをｅＮＢに送信する。
【００４３】
ＳＲＳは、ＵＥの周波数スケジューリング対象となる周波数帯域をカバーするように送信される。
図５は、ＳＲＳ送信を説明する図のその１である。図５の上部には、図４で説明したサブフレームおよび無線フレームが示してある。また、無線フレームの無線フレーム番号が示してある。
【００４４】
図５の下部には、ＲＢが示してある。ＲＢの縦方向は、周波数を示す。ＲＢの横方向は、時間を示し、右方向が時間の経過を示す。図５に示すＲＢの横方向の１マスは、１サブフレームに対応する。
【００４５】
ＵＥがｅＮＢと無線通信を行うことができるシステム帯域幅を、例えば、２５ＲＢとする。また、ＵＥがＳＲＳを送信する送信帯域幅を、例えば、１６ＲＢとする。ＳＲＳの送信帯域幅が、システム帯域幅の中央部分に位置しているのは、システム帯域の両帯域が制御情報の通信に利用されるからである。
【００４６】
ＳＲＳは、例えば、図５に示す斜線を付したＲＢでｅＮＢに送信される。図５の例では、ＳＲＳを送信する周期Ｔ１は、２０ｍｓである。また、同一帯域のＳＲＳを送信する周期Ｔ２は、２０ｍｓである。以下では、ＳＲＳを送信する周期をＳＲＳ送信周期と呼び、同一帯域のＳＲＳを送信する周期を同一帯域ＳＲＳ送信周期と呼ぶことがある。
【００４７】
なお、図５では、Ｔ１＝Ｔ２となっている。従って、ＳＲＳは、全帯域（１６ＲＢ）で一括送信されるようになっている。
図６は、ＳＲＳ送信を説明する図のその２である。図６の上部に示すサブフレーム、無線フレーム、および無線フレーム番号は、図５で説明したサブフレーム、無線フレーム、および無線フレーム番号と同様であり、その説明を省略する。また、図６の下部に示すＲＢは、図５で説明したＲＢと同様であり、その説明を省略する。
【００４８】
図６では、ＳＲＳ送信周期Ｔ１は、２０ｍｓである。同一帯域ＳＲＳ送信周期Ｔ２は、８０ｍｓである。すなわち、ＵＥは、図６では、ＳＲＳを２０ｍｓ周期で送信するとともに、同一帯域のＳＲＳを８０ｍｓ周期で送信している。つまり、ＳＲＳは、２０ｍｓ周期で送信されるとともに、同一帯域が８０ｍｓ周期で送信されるようになっている。
【００４９】
図６では、ＳＲＳ送信周期Ｔ１と同一帯域ＳＲＳ送信周期Ｔ２とが異なっている。図５では、ＳＲＳ送信周期Ｔ１と同一帯域ＳＲＳ送信周期Ｔ２とが同じで、全ＳＲＳ帯域（１６ＲＢ）を一括送信しているが、図６では、ＳＲＳを４ＲＢの部分帯域で分割送信（周波数ホッピング）している。
【００５０】
なお、ＳＲＳ送信周期は、いずれかのＳＲＳ帯域を送信する周期とも言える。Ｔ１＝Ｔ２の場合、図５で説明したようにＳＲＳは一括送信となり、Ｔ１≠Ｔ２の場合、図６に示すように分割送信となる。
【００５１】
図７は、ＳＲＳ送信を説明する図のその３である。図７の上部に示すサブフレーム、無線フレーム、および無線フレーム番号は、図５で説明したサブフレーム、無線フレーム、および無線フレーム番号と同様であり、その説明を省略する。また、図７の下部に示すＲＢは、図５で説明したＲＢと同様であり、その説明を省略する。
【００５２】
図７では、図６と同様にＳＲＳを部分帯域（４ＲＢ）で分割送信しているが、ＳＲＳ送信周期Ｔ１と同一帯域ＳＲＳ送信周期Ｔ２とが図６と異なる。図７では、ＳＲＳ送信周期Ｔ１は、５ｍｓであり、同一帯域ＳＲＳ送信周期Ｔ２は、２０ｍｓである。すなわち、ＵＥは、図７では、ＳＲＳを５ｍｓ周期で送信するとともに、同一帯域のＳＲＳを２０ｍｓ周期で送信している。
【００５３】
図５に示したように、ＳＲＳ一括送信では、１回のＳＲＳ送信を全帯域で処理できるため、リソースを有効活用できるという利点がある。しかし、ＳＲＳ一括送信では、例えば、ＵＥがｅＮＢから遠くに離れているなど、パスロスが大きくチャネル状態が悪いと、周波数あたりのＳＲＳ電力密度が小さくなり、チャネル品質の推定精度が劣化する場合がある。
【００５４】
一方、図６に示したＳＲＳ分割送信では、狭帯域に分割して送信するので、ＳＲＳを同じ電力で、かつ、ＳＲＳ電力密度を大きくして送信でき、チャネル品質の推定精度の劣化を抑制することができる。例えば、図５および図６において、ＳＲＳ送信帯域幅（１６ＲＢ）の送信電力を１６とする。この場合、図５の例では、１ＲＢあたりのＳＲＳの送信電力は、１となる。一方、図６の例では、１ＲＢあたりのＳＲＳの送信電力を４とすることができる。
【００５５】
しかし、ＳＲＳ送信周期を一括送信時と同じにしてＳＲＳ分割送信すると、スケジューリング対象となる周波数帯域全体のＳＲＳ送信に要する時間が長くなってしまう。例えば、図６のスケジューリング対象となる周波数帯域全体（１６ＲＢ）のＳＲＳ送信に要する時間は、６０ｍｓとなり、図５の例の場合（２０ｍｓ）に対して長くなる。この場合、ｅＮＢでは、全帯域の（同一帯域の）ＳＲＳの受信周期が長くなるため、フェージングピッチ推定精度が低下する。
【００５６】
これに対し、図７の例では、ＳＲＳ送信周期を図６の例の場合に対して短く設定している。例えば、図６のＳＲＳ送信周期は、２０ｍｓであるのに対し、図７のＳＲＳ送信周期は、５ｍｓとなっている。これにより、スケジューリング対象となる周波数帯域全体のＳＲＳ送信に要する時間は短くなり（図７では１５ｍｓ）、ｅＮＢでは、全帯域のＳＲＳの受信周期が短くなるため、フェージングピッチ推定精度の低下を抑制することができる。
【００５７】
各ＵＥのＳＲＳ送信に関する送信情報は、ＲＲＣコネクションの際にｅＮＢからＵＥに送信される。
図８は、ＲＲＣコネクション動作を示したシーケンス図である。
【００５８】
［ステップＳ１］ＵＥは、ｅＮＢと無線通信を行う場合、ｅＮＢに対し、ＲＲＣコネクション要求を行う。
［ステップＳ２］ｅＮＢは、ＵＥからのＲＲＣコネクション要求を受け、ＵＥに対し、ＲＲＣコネクションセットアップを行う。ｅＮＢは、このＲＲＣコネクションセットアップの際、ＵＥのＳＲＳ送信に関する送信情報を送信する。
【００５９】
［ステップＳ３］ＵＥは、送信情報を受信し、無線通信の準備が完了すると、ＲＲＣコネクションセットアップの完了をｅＮＢに通知する。
ＲＲＣコネクションの際にｅＮＢからＵＥに送信される送信情報には、srs-ConfigIndex、srs-Bandwidth、srs-HoppingBandwidth、cyclicShift、およびtransmissionCombのパラメータが含まれる。
【００６０】
・srs-ConfigIndex
このパラメータは、ＳＲＳ送信周期を示す。また、ＳＲＳを送信するサブフレームのオフセットを示す。
【００６１】
・srs-Bandwidth
このパラメータは、ＳＲＳ送信帯域幅（ＲＢ数）を示す。
・srs-HoppingBandwidth
このパラメータは、ＳＲＳ送信の周波数ホッピング動作（部分帯域幅）を示す。
【００６２】
・cyclicShift
このパラメータは、同一ＳＲＳ送信帯域で複数のＵＥを直交多重させるための巡回シフト量を示す。
【００６３】
・transmissionComb
このパラメータは、周波数多重のために２サブキャリア間隔で配置されたＲＥのどちらを使用するかを示す。
【００６４】
ＵＥは、送信情報に含まれるsrs-ConfigIndex、srs-Bandwidth、およびsrs-HoppingBandwidthのパラメータによって、ＳＲＳ送信帯域幅、ＳＲＳ送信周期、および同一帯域ＳＲＳ送信周期を認識できる。また、ＵＥは、ＳＲＳ分割送信をする場合、いくつのＲＢの部分帯域でＳＲＳ分割送信をするか認識できる。
【００６５】
例えば、ＵＥは、srs-ConfigIndexによって、ＳＲＳ送信周期を認識できる。また、ＵＥは、srs-ConfigIndexのサブフレームのオフセットによって、どのサブフレームでＳＲＳを送信するか認識できる。
【００６６】
また、ＵＥは、srs-ConfigIndex、srs-Bandwidth、およびsrs-HoppingBandwidthから、同一帯域ＳＲＳ送信周波数を算出できる。例えば、ＵＥは、次の式（１）によって、同一帯域ＳＲＳ送信周波数を算出できる。
【００６７】
Ｔ２＝（ＳＲＳ送信帯域幅／部分帯域幅）×Ｔ１  …（１）
Ｔ２は、同一帯域ＳＲＳ送信周波数である。Ｔ１は、ＳＲＳ送信周期である。なお、ＳＲＳ分割送信をしない場合、Ｔ２＝Ｔ１となる。
【００６８】
これにより、ＵＥは、図５〜図７で説明したＳＲＳの送信を行うことができる。なお、cyclicShiftおよびtransmissionCombについては後述する。
ｅＮＢは、ＵＥのＳＲＳ送信の動作を切替えることができる。例えば、ｅＮＢは、ＲＲＣコネクションリコンフィギュレーションによって、ＳＲＳ一括送信およびＳＲＳ分割送信の動作を切替えることができる。
【００６９】
例えば、ｅＮＢは、自分の近くに存在しているＵＥに対し、図５で説明したＳＲＳ一括送信を指定することができる。ｅＮＢは、このＵＥが自分から遠くに離れ、ＳＩＲが所定値より小さくなった場合、このＵＥに対し、ＲＲＣコネクションリコンフィギュレーションによって、ＳＲＳ分割送信を指定することができる。
【００７０】
また、例えば、ｅＮＢは、自分から遠く離れて存在しているＵＥに対し、図６、図７で説明したＳＲＳ分割送信を指定することができる。ｅＮＢは、このＵＥが自分の近くへ移動し、ＳＩＲが所定値より大きくなった場合、このＵＥに対し、ＲＲＣコネクションリコンフィギュレーションによって、ＳＲＳ一括送信を指定することができる。
【００７１】
図９は、ＲＲＣリコンフィギュレーション動作を示したシーケンス図である。
［ステップＳ１１］ｅＮＢは、送信情報を含むＲＲＣコネクションリコンフィギュレーションをＵＥに送信する。
【００７２】
［ステップＳ１２］ＵＥは、送信情報を受信し、ＳＲＳ一括送信またはＳＲＳ分割送信の動作切替えを行う。ＵＥは、動作切替えが完了すると、ＲＲＣコネクションリコンフィギュレーションの完了をｅＮＢに通知する。
【００７３】
次に、ＵＥ数とＳＲＳの送信周期との関係について説明する。
図１０は、ＵＥ数とＳＲＳの送信周期との関係を説明する図のその１である。図１０の上部に示すサブフレームおよび無線フレーム番号は、図５で説明したサブフレームおよび無線フレーム番号と同様であり、その説明を省略する。また、図１０の下部に示すＲＢは、図５で説明したＲＢと同様であり、その説明を省略する。なお、図１０では、図５に対し、一部図示を省略している。
【００７４】
ＳＲＳは、１サブフレームにおいて、多重送信することができる。１サブフレームでＳＲＳを送信できるＵＥの最大数をＫとする。例えば、１サブフレームでＳＲＳを送信できるＵＥの最大数が１６の場合、Ｋは１６となる。
【００７５】
ｅＮＢのセル内に、例えば、２０ＫのＵＥが存在しているとする。この場合、１サブフレームには、Ｋ台のＵＥを多重できるので、２０ＫのＵＥがＳＲＳを送信するには、図１０に示すように、２０ｍｓかかる。
【００７６】
なお、図１０の例では、ｅＮＢは、ＳＲＳ送信周期Ｔ１および同一帯域ＳＲＳ送信周期Ｔ２を２０ｍｓとし、ＵＥにＳＲＳ一括送信するように指定している。また、図１０では、斜線を付していないフレームにもＵＥが割り当てられているが、その図示を省略している。
【００７７】
図１１は、ＵＥ数とＳＲＳの送信周期との関係を説明する図のその２である。図１１に示すサブフレーム、無線フレーム番号、およびＲＢは、図１０と同様であり、その説明を省略する。
【００７８】
図１１では、図１０に対し、ｅＮＢのセル内に、４０ＫのＵＥが存在しているとする。この場合、１サブフレームには、Ｋ台のＵＥを多重できるので、４０ＫのＵＥがＳＲＳを送信するには、図１１に示すように、４０ｍｓかかる。
【００７９】
なお、図１１の例では、ｅＮＢは、ＳＲＳ送信周期Ｔ１および同一帯域ＳＲＳ送信周期Ｔ２を４０ｍｓとし、ＵＥにＳＲＳ一括送信するように指定している。
ＵＥの数が増加すると、各ＵＥの同一帯域のＳＲＳを送信する周期が長くなる。例えば、図１１では、図１０に対し、ＵＥ数が２倍増え、各ＵＥの同一帯域のＳＲＳを送信する周期が２倍となっている。このため、ｅＮＢでは、全帯域のＳＲＳの受信周期が長くなり、フェージングピッチ推定精度が低下する。
【００８０】
図１２は、ＵＥ数とＳＲＳの送信周期との関係を説明する図のその３である。図１２に示すサブフレーム、無線フレーム番号、およびＲＢは、図１０と同様であり、その説明を省略する。
【００８１】
図１２では、図１０と同様に、ｅＮＢのセル内に、２０ＫのＵＥが存在しているとする。図１０では、ＳＲＳ一括送信の場合の例を示したが、図１２では、４ＲＢのＳＲＳ分割送信の場合を示している。
【００８２】
１サブフレームには、Ｋ台のＵＥを多重できる。図１２では、各ＵＥは、４ＲＢごとにＳＲＳを分割送信することにより、全帯域のＳＲＳをｅＮＢに送信するには、２０ｍｓかかる。
【００８３】
なお、図１２の例では、ｅＮＢは、ＳＲＳ送信周期Ｔ１を５ｍｓとし、同一帯域ＳＲＳ送信周期Ｔ２を２０ｍｓとして、ＵＥにＳＲＳ分割送信するように指定している。
図１３は、ＵＥ数とＳＲＳの送信周期との関係を説明する図のその４である。図１３に示すサブフレーム、無線フレーム番号、およびＲＢは、図１０と同様であり、その説明を省略する。
【００８４】
図１３では、図１２に対し、ｅＮＢのセル内に、４０ＫのＵＥが存在しているとする。この場合、図１３に示すように、４０ＫのＵＥが全帯域のＳＲＳをｅＮＢに送信するには、４０ｍｓかかる。
【００８５】
なお、図１３の例では、ｅＮＢは、ＳＲＳ送信周期Ｔ１を１０ｍｓとし、同一帯域ＳＲＳ送信周期Ｔ２を４０ｍｓとして、ＵＥにＳＲＳ分割送信するように指定している。
図１２、図１３に示すように、ＳＲＳ分割送信の場合でも、ＵＥの数が増加すると、各ＵＥの同一帯域のＳＲＳを送信する周期が長くなる。例えば、図１３では、図１２に対し、ＵＥ数が２倍増え、各ＵＥの同一帯域のＳＲＳを送信する周期が２倍となっている。このため、ｅＮＢでは、全帯域のＳＲＳの受信周期が長くなり、フェージングピッチ推定精度が低下する。
【００８６】
以下、ＵＥ１１〜１３およびｅＮＢ２１の詳細を説明する。
図１４は、ＵＥの機能ブロックを示した図である。ＵＥ１１は、受信部４１、送信周期算出部４２、同一帯域送信周期算出部４３、バースト周期算出部４４、および送信制御部４５を有している。図１４に示す各部は、例えば、メモリに記憶されたプログラムをＣＰＵが実行することにより実現できる。または、専用のハードウェアによっても実現することができる。ＵＥ１２，Ｕ１３もＵＥ１１と同様の機能ブロックを有し、その説明を省略する。
【００８７】
受信部４１は、ｅＮＢ２１へのＳＲＳの送信に関する送信情報をｅＮＢ２１から受信する。なお、送信情報には、図８で説明したパラメータ（以下、ＳＲＳパラメータと呼ぶことがある）の他に、送信周期分割係数とバースト送信ブロック長係数のパラメータが含まれている。
【００８８】
送信周期算出部４２は、受信した送信情報に含まれるＳＲＳ送信周期と送信周期分割係数とに基づいて、新たなＳＲＳ送信周期を算出する。例えば、送信周期算出部４２は、次の式（２）によって、新たなＳＲＳ送信周期を算出する。
【００８９】
Ｔ１’＝Ｔ１／Ｎ  …（２）
Ｔ１’は、新たなＳＲＳ送信周期（Ｔ１’＝＜Ｔ１）である。Ｔ１は、ＳＲＳ送信周期である。Ｎは、送信周期分割係数である。以下では、新たなＳＲＳ送信周期Ｔ１’を実ＳＲＳ送信周期と呼ぶことがある。
【００９０】
同一帯域送信周期算出部４３は、受信した送信情報に基づく同一帯域ＳＲＳ送信周期と、受信した送信情報に含まれる送信周期分割係数とに基づいて、新たな同一帯域ＳＲＳ送信周期を算出する。例えば、同一帯域送信周期算出部４３は、次の式（３）によって、新たな同一帯域ＳＲＳ送信周期を算出する。
【００９１】
Ｔ２’＝Ｔ２／Ｎ  …（３）
Ｔ２’は、新たな同一帯域ＳＲＳ送信周期（Ｔ２’＝＜Ｔ２）である。Ｔ２は、同一帯域ＳＲＳ送信周期であり、上記で説明した式（１）によって算出することができる。Ｎは、送信周期分割係数である。以下では、新たな同一帯域ＳＲＳ送信周期Ｔ２’を実同一帯域ＳＲＳ送信周期と呼ぶことがある。
【００９２】
バースト周期算出部４４は、受信した送信情報に基づく同一帯域ＳＲＳ送信周期とバースト送信ブロック長係数とに基づいて、バースト送信周期を算出する。例えば、バースト周期算出部４４は、次の式（４）によって、バースト送信周期を算出する。
【００９３】
Ｔｂ＝Ｔ２×Ｍ  …（４）
Ｔｂは、バースト送信周期である。Ｔ２は、同一帯域ＳＲＳ送信周期であり、上記で説明した式（１）によって算出することができる。Ｍは、バースト送信ブロック長係数である。
【００９４】
送信制御部４５は、バースト送信周期を送信周期分割係数で分割し、分割したバースト送信周期内において、ＳＲＳを実ＳＲＳ送信周期でｅＮＢ２１にバースト送信し、同一帯域のＳＲＳを実同一帯域ＳＲＳ送信周期でバースト送信する。
【００９５】
図１５は、ｅＮＢの機能ブロックを示した図である。ｅＮＢ２１は、周期情報生成部５１、係数生成部５２、および送信部５３を有している。図１５に示す各部は、例えば、メモリに記憶されたプログラムをＣＰＵが実行することにより実現できる。または、専用のハードウェアによっても実現することができる。
【００９６】
周期情報生成部５１は、ＳＲＳパラメータを生成する。
係数生成部５２は、ＵＥ１１〜１３がＳＲＳ送信周期および同一帯域ＳＲＳ送信周期より短い周期の実ＳＲＳ送信周期および実同一帯域ＳＲＳ送信周期を算出するための送信周期分割係数およびバースト送信ブロック長係数を生成する。
【００９７】
送信部５３は、ＳＲＳパラメータ、送信周期分割係数、およびバースト送信ブロック長係数を含む送信情報をＵＥ１１〜１３に送信する。
図１６は、送信情報の送受信を示したシーケンス図である。
【００９８】
［ステップＳ２１］ｅＮＢ２１の周期情報生成部５１は、ＳＲＳパラメータを生成する。また、ｅＮＢ２１の係数生成部５２は、送信周期分割係数およびバースト送信ブロック長係数を生成する。ｅＮＢ２１の送信部５３は、ＳＲＳパラメータ、送信周期分割係数、およびバースト送信ブロック長係数を含む送信情報をＵＥ１１〜１３に送信する。
【００９９】
［ステップＳ２２］ＵＥ１１〜１３の受信部４１は、ｅＮＢ２１から送信情報を受信する。ＵＥ１１〜１３の送信周期算出部４２は、受信した送信情報に含まれるＳＲＳ送信周期と送信周期分割係数とに基づいて、実ＳＲＳ送信周期を算出する。また、ＵＥ１１〜１３の同一帯域送信周期算出部４３は、受信した送信情報に含まれる情報に基づいて算出した同一帯域ＳＲＳ送信周期と、受信した送信情報に含まれる送信周期分割係数とに基づいて、実同一帯域ＳＲＳ送信周期を算出する。また、ＵＥ１１〜１３のバースト周期算出部４４は、同一帯域ＳＲＳ送信周期と送信情報に含まれるバースト送信ブロック長係数とに基づいて、バースト送信周期を算出する。ＵＥ１１〜１３の送信制御部４５は、バースト送信周期を送信周期分割係数で分割し、分割したバースト送信周期内において、ＳＲＳを実ＳＲＳ送信周期でｅＮＢ２１にバースト送信するとともに、同一帯域のＳＲＳを実同一帯域ＳＲＳ送信周期でバースト送信する。
【０１００】
なお、図１６に示す送信情報の送受信は、図８および図９で説明したＲＲＣコネクションまたはＲＲＣリコンフィギュレーションにて行われる。
ＵＥ１１〜１３のＳＲＳ送信について説明する。図３では、ｅＮＢ２１のセルに３台のＵＥ１１〜１３しか示していないが、以下では、４０Ｋ台のＵＥが存在するとする。
【０１０１】
図１７は、ＳＲＳ送信を説明する図のその１である。図１７に示すサブフレーム、無線フレーム番号、およびＲＢは、図１０と同様であり、その説明を省略する。
ｅＮＢ２１の周期情報生成部５１は、ＳＲＳパラメータを生成する。係数生成部５２は、ＵＥ１１〜１３がＳＲＳ送信周期および同一帯域ＳＲＳ送信周期より短い周期の実ＳＲＳ送信周期および実同一帯域ＳＲＳ送信周期を算出するための送信周期分割係数およびバースト送信ブロック長係数を生成する。送信部５３は、ＳＲＳパラメータ、送信周期分割係数、およびバースト送信ブロック長係数を含む送信情報をＵＥ１１〜１３に送信する。図１７では、ＳＲＳ送信周期Ｔ１、同一帯域ＳＲＳ送信周期Ｔ２、送信周期分割係数Ｎ、およびバースト送信ブロック長係数Ｍの値を以下とする。
【０１０２】
Ｔ１＝４０ｍｓ
Ｔ２＝４０ｍｓ
Ｎ＝２
Ｍ＝４
ｅＮＢ２１のセルに属しているＵＥの送信周期算出部４２および同一帯域送信周期算出部４３は、送信情報に含まれているパラメータに基づいて、実ＳＲＳ送信周期Ｔ１’および実同一帯域ＳＲＳ送信周期Ｔ２’を算出する。例えば、送信周期算出部４２および同一帯域送信周期算出部４３は、上記で説明した式（２）、（３）によって、以下の実ＳＲＳ送信周期Ｔ１’および実同一帯域ＳＲＳ送信周期Ｔ２’を算出する。
【０１０３】
Ｔ１’＝Ｔ１／Ｎ＝２０ｍｓ
Ｔ２’＝Ｔ２／Ｎ＝２０ｍｓ
ＵＥのバースト周期算出部４４は、受信した送信情報に基づく同一帯域ＳＲＳ送信周期Ｔ２とバースト送信ブロック長係数Ｍとに基づいて、バースト送信周期を算出する。例えば、バースト周期算出部４４は、上記で説明した式（４）によって、以下のバースト送信周期Ｔｂを算出する。
【０１０４】
Ｔｂ＝Ｔ２×Ｍ＝１６０ｍｓ
ＵＥの送信制御部４５は、バースト送信周期Ｔｂを送信周期分割係数Ｎで分割し、分割したバースト送信周期内において、ＳＲＳを実ＳＲＳ送信周期Ｔ１’でｅＮＢ２１にバースト送信するとともに、同一帯域のＳＲＳを実同一帯域ＳＲＳ送信周期Ｔ２’でｅＮＢ２１にバースト送信する。
【０１０５】
例えば、図１７に示すように、各ＵＥの送信制御部４５は、バースト送信周期Ｔｂ（１６０ｍｓ）を送信周期分割係数Ｎ（２）で分割する（領域＃１と領域＃２に分割する）。そして、送信制御部４５は、分割したバースト送信周期内（領域＃１内または領域＃２内）において、ＳＲＳを実ＳＲＳ送信周期Ｔ１’（２０ｍｓ）でバースト送信するとともに、同一帯域のＳＲＳを実同一帯域ＳＲＳ送信周期Ｔ２’（２０ｍｓ）でバースト送信する。例えば、図１７の例の場合、ＵＥ＃１〜２０Ｋは、領域＃１内において、ＳＲＳを実ＳＲＳ送信周期Ｔ１’（２０ｍｓ）でバースト送信するとともに、同一帯域のＳＲＳを実同一帯域ＳＲＳ送信周期Ｔ２’（２０ｍｓ）でバースト送信する。また、ＵＥ＃２０Ｋ＋１〜４０Ｋは、領域＃２内において、ＳＲＳを実ＳＲＳ送信周期Ｔ１’（２０ｍｓ）でバースト送信するとともに、同一帯域のＳＲＳを実同一帯域ＳＲＳ送信周期Ｔ２’（２０ｍｓ）でバースト送信する。
【０１０６】
図１１では、４０Ｋ台のＵＥが同一帯域のＳＲＳを周期送信するのに４０ｍｓかかった。図１７では、領域＃１および領域＃２のバースト送信となるが、そのバースト送信内では、ＳＲＳは、２０ｍｓでｅＮＢ２１に送信する。これにより、ｅＮＢ２１は、ＵＥ数が増加しても、全帯域のＳＲＳの受信周期を短縮でき、フェージングピッチ推定精度の低下を抑制することができる。
【０１０７】
なお、ＳＲＳを送信するサブフレームには、インデックスが割り当てられている。インデックスは、srs-ConfigIndexのサブフレームのオフセットにより認識することができる。例えば、オフセット０の場合、サブフレームのインデックスは３７、オフセット１の場合、サブフレームのインデックスは３８、オフセット２の場合、サブフレームのインデックスは３９、…となる。
【０１０８】
ここで、図１７の例の場合（Ｔ１＝４０ｍｓ）、ＳＲＳを送信することができるサブフレームは、インデックス３７〜７６となる。この場合、インデックス３７〜５６のサブフレームを領域＃１とし、インデックス５７〜７６のサブフレームを領域＃２とすることができる。ＵＥの送信制御部４５は、送信情報に含まれるオフセットから、自身に割り当てられたインデックスを認識し、そのインデックスが領域＃１および領域＃２のどの領域に属するか判断できる。
【０１０９】
図１８は、ＳＲＳ送信を説明する図のその２である。図１８に示すサブフレーム、無線フレーム番号、およびＲＢは、図１０と同様であり、その説明を省略する。また、図１８では、図１７に対して、ｅＮＢ２１がＵＥに送信する送信情報が異なる。ｅＮＢ２１は、以下のＳＲＳ送信周期Ｔ１、同一帯域ＳＲＳ送信周期Ｔ２、送信周期分割係数Ｎ、およびバースト送信ブロック長係数ＭをＵＥに送信するとする。
【０１１０】
Ｔ１＝１０ｍｓ
Ｔ２＝４０ｍｓ
Ｎ＝２
Ｍ＝４
ｅＮＢ２１のセルに属しているＵＥは、図１７と同様に受信した送信情報に基づいて、実ＳＲＳ送信周期Ｔ１’および実同一帯域ＳＲＳ送信周期Ｔ２’を算出する。実ＳＲＳ送信周期Ｔ１’および実同一帯域ＳＲＳ送信周期Ｔ２’は、以下のようになる。
【０１１１】
Ｔ１’＝Ｔ１／Ｎ＝５ｍｓ
Ｔ２’＝Ｔ２／Ｎ＝２０ｍｓ
また、ＵＥは、図１７と同様に、バースト送信周期を算出する。バースト送信周期は、以下のようになる。
【０１１２】
Ｔｂ＝Ｔ２×Ｍ＝１６０ｍｓ
ＵＥは、バースト送信周期Ｔｂを送信周期分割係数Ｎで分割し、分割したバースト送信周期内において、ＳＲＳを実ＳＲＳ送信周期Ｔ１’でバースト送信するとともに、同一帯域のＳＲＳを実同一帯域ＳＲＳ送信周期Ｔ２’でバースト送信する。
【０１１３】
例えば、図１８に示すように、各ＵＥは、バースト送信周期Ｔｂ（１６０ｍｓ）を送信周期分割係数Ｎ（２）で分割する（領域＃１と領域＃２に分割する）。そして、ＵＥは、分割したバースト送信周期内（領域＃１内または領域＃２内）において、ＳＲＳを実ＳＲＳ送信周期Ｔ１’（５ｍｓ）でバースト送信するとともに、同一帯域のＳＲＳを実同一帯域ＳＲＳ送信周期Ｔ２’（２０ｍｓ）でバースト送信する。例えば、図１８の例の場合、ＵＥ＃１〜２０Ｋは、領域＃１内において、ＳＲＳを実ＳＲＳ送信周期Ｔ１’（５ｍｓ）でバースト送信するとともに、同一帯域のＳＲＳを実同一帯域ＳＲＳ送信周期Ｔ２’（２０ｍｓ）でバースト送信する。また、ＵＥ＃２０Ｋ＋１〜４０Ｋは、領域＃２内において、ＳＲＳを実ＳＲＳ送信周期Ｔ１’（５ｍｓ）でバースト送信し、同一帯域のＳＲＳを実同一帯域ＳＲＳ送信周期Ｔ２’（２０ｍｓ）でバースト送信する。
【０１１４】
図１３では、４０Ｋ台のＵＥが同一帯域のＳＲＳを周期送信するのに４０ｍｓかかった。図１８では、領域＃１および領域＃２のバースト送信となるが、そのバースト送信内では、ＳＲＳは、２０ｍｓでｅＮＢ２１に送信する。これにより、ｅＮＢ２１は、ＵＥ数が増加しても、全帯域のＳＲＳの受信周期を短縮でき、フェージングピッチ推定精度の低下を抑制することができる。
【０１１５】
図１９は、ＳＲＳ送信を説明する図のその３である。図１９に示すサブフレーム、無線フレーム番号、およびＲＢは、図１０と同様であり、その説明を省略する。また、図１９では、図１７に対して、バーストブロック長係数が異なる。ｅＮＢ２１は、以下のＳＲＳ送信周期Ｔ１、同一帯域ＳＲＳ送信周期Ｔ２、送信周期分割係数Ｎ、およびバースト送信ブロック長係数ＭをＵＥに送信するとする。
【０１１６】
Ｔ１＝４０ｍｓ
Ｔ２＝４０ｍｓ
Ｎ＝２
Ｍ＝２
ｅＮＢ２１のセルに属しているＵＥは、図１７と同様に受信した送信情報に基づいて、実ＳＲＳ送信周期Ｔ１’および実同一帯域ＳＲＳ送信周期Ｔ２’を算出する。実ＳＲＳ送信周期Ｔ１’および実同一帯域ＳＲＳ送信周期Ｔ２’は、以下のようになる。
【０１１７】
Ｔ１’＝Ｔ１／Ｎ＝２０ｍｓ
Ｔ２’＝Ｔ２／Ｎ＝２０ｍｓ
また、ＵＥは、図１７と同様に、バースト送信周期を算出する。バースト送信周期は、以下のようになる。
【０１１８】
Ｔｂ＝Ｔ２×Ｍ＝８０ｍｓ
ＵＥは、バースト送信周期Ｔｂを送信周期分割係数Ｎで分割し、分割したバースト送信周期内において、ＳＲＳを実ＳＲＳ送信周期Ｔ１’でｅＮＢ２１にバースト送信するとともに、同一帯域のＳＲＳを実同一帯域ＳＲＳ送信周期Ｔ２’でバースト送信する。
【０１１９】
例えば、図１９に示すように、各ＵＥは、バースト送信周期Ｔｂ（８０ｍｓ）を送信周期分割係数Ｎ（２）で分割する（領域＃１と領域＃２に分割する）。そして、ＵＥは、分割したバースト送信周期内（領域＃１内または領域＃２内）において、ＳＲＳを実ＳＲＳ送信周期Ｔ１’（２０ｍｓ）でバースト送信するとともに、同一帯域のＳＲＳを実同一帯域ＳＲＳ送信周期Ｔ２’（２０ｍｓ）でバースト送信する。例えば、図１９の例の場合、ＵＥ＃１〜２０Ｋは、領域＃１内において、ＳＲＳを実ＳＲＳ送信周期Ｔ１’（２０ｍｓ）でバースト送信するとともに、同一帯域のＳＲＳを実同一帯域ＳＲＳ送信周期Ｔ２’（２０ｍｓ）でバースト送信する。また、ＵＥ＃２０Ｋ＋１〜４０Ｋは、領域＃２内において、ＳＲＳを実ＳＲＳ送信周期Ｔ１’（２０ｍｓ）でバースト送信するとともに、同一帯域のＳＲＳを実同一帯域ＳＲＳ送信周期Ｔ２’（２０ｍｓ）でバースト送信する。
【０１２０】
図１１では、４０Ｋ台のＵＥが同一帯域のＳＲＳを周期送信するのに４０ｍｓかかった。図１９では、領域＃１および領域＃２のバースト送信となるが、そのバースト送信内では、ＳＲＳは、２０ｍｓでｅＮＢ２１に送信する。これにより、ｅＮＢ２１は、ＵＥ数が増加しても、全帯域のＳＲＳの受信周期を短縮でき、フェージングピッチ推定精度の低下を抑制することができる。
【０１２１】
なお、図１７では、分割したバースト送信周期内において、同一帯域のＳＲＳを２０ｍｓで３回繰り返してバースト送信している。図１９では、同一帯域のＳＲＳを２０ｍｓで１回繰り返してバースト送信している。
【０１２２】
図２０は、ＳＲＳ送信を説明する図のその４である。図２０に示すサブフレーム、無線フレーム番号、およびＲＢは、図１０と同様であり、その説明を省略する。また、図２０では、図１８に対し、バーストブロック長係数が異なる。ｅＮＢ２１は、以下のＳＲＳ送信周期Ｔ１、同一帯域ＳＲＳ送信周期Ｔ２、送信周期分割係数Ｎ、およびバースト送信ブロック長係数ＭをＵＥに送信するとする。
【０１２３】
Ｔ１＝１０ｍｓ
Ｔ２＝４０ｍｓ
Ｎ＝２
Ｍ＝２
ｅＮＢ２１のセルに属しているＵＥは、図１８と同様に受信した送信情報に基づいて、実ＳＲＳ送信周期Ｔ１’および実同一帯域ＳＲＳ送信周期Ｔ２’を算出する。実ＳＲＳ送信周期Ｔ１’および実同一帯域ＳＲＳ送信周期Ｔ２’は、以下のようになる。
【０１２４】
Ｔ１’＝Ｔ１／Ｎ＝５ｍｓ
Ｔ２’＝Ｔ２／Ｎ＝２０ｍｓ
また、ＵＥは、図１８と同様に、バースト送信周期を算出する。バースト送信周期は、以下のようになる。
【０１２５】
Ｔｂ＝Ｔ２×Ｍ＝８０ｍｓ
ＵＥは、バースト送信周期Ｔｂを送信周期分割係数Ｎで分割し、分割したバースト送信周期内において、ＳＲＳを実ＳＲＳ送信周期Ｔ１’でｅＮＢ２１にバースト送信するとともに、同一帯域のＳＲＳを実同一帯域ＳＲＳ送信周期Ｔ２’でバースト送信する。
【０１２６】
例えば、図２０に示すように、各ＵＥは、バースト送信周期Ｔｂ（８０ｍｓ）を送信周期分割係数Ｎ（２）で分割する（領域＃１と領域＃２に分割する）。そして、ＵＥは、分割したバースト送信周期内（領域＃１内または領域＃２内）において、ＳＲＳを実ＳＲＳ送信周期Ｔ１’（５ｍｓ）でバースト送信するとともに、同一帯域のＳＲＳを実同一帯域ＳＲＳ送信周期Ｔ２’（２０ｍｓ）でバースト送信する。例えば、図２０の例の場合、ＵＥ＃１〜２０Ｋは、領域＃１内において、ＳＲＳを実ＳＲＳ送信周期Ｔ１’（５ｍｓ）でバースト送信するとともに、同一帯域のＳＲＳを実同一帯域ＳＲＳ送信周期Ｔ２’（２０ｍｓ）でバースト送信する。また、ＵＥ＃２０Ｋ＋１〜４０Ｋは、領域＃２内において、ＳＲＳを実ＳＲＳ送信周期Ｔ１’（５ｍｓ）でバースト送信するとともに、同一帯域のＳＲＳを実同一帯域ＳＲＳ送信周期Ｔ２’（２０ｍｓ）でバースト送信する。
【０１２７】
図１３では、４０Ｋ台のＵＥが同一帯域のＳＲＳを周期送信するのに４０ｍｓかかった。図２０では、領域＃１および領域＃２のバースト送信となるが、そのバースト送信内では、ＳＲＳは、２０ｍｓでｅＮＢ２１に送信する。これにより、ｅＮＢ２１は、ＵＥ数が増加しても、全帯域のＳＲＳの受信周期を短縮でき、フェージングピッチ推定精度の低下を抑制することができる。
【０１２８】
なお、図１８では、分割したバースト送信周期内において、同一帯域のＳＲＳを２０ｍｓで３回繰り返してバースト送信している。図２０では、同一帯域のＳＲＳを２０ｍｓで１回繰り返してバースト送信している。
【０１２９】
このように、ｅＮＢ２１は、送信周期分割係数およびバースト送信ブロック長係数を生成し、ＳＲＳパラメータとこれらの係数を含む送信情報をＵＥ１１〜１３に送信する。そして、ＵＥ１１〜１３は、受信した送信情報に基づくＳＲＳ送信周期より短い実ＳＲＳ送信周期でＳＲＳをバースト送信するとともに、送信情報に基づく同一帯域ＳＲＳ送信周期より短い実同一帯域ＳＲＳ送信周期で同一帯域のＳＲＳをバースト送信する。これにより、ｅＮＢ２１は、ＵＥの数が増加しても、ＳＲＳの受信周期をバースト送信周期内で短縮でき、フェージングピッチ推定精度の低下を抑制することができる。
【０１３０】
［第３の実施の形態］
次に、第３の実施の形態を、図面を参照して詳細に説明する。第２の実施の形態では、ｅＮＢがＵＥに送信周期分割係数およびバースト送信ブロック長係数を送信した。第３の実施の形態では、送信周期分割係数およびバースト送信ブロック長係数が予め決められており、ＵＥとｅＮＢは記憶装置に記憶している。これにより、ｅＮＢおよびＵＥは、送信周期分割係数およびバースト送信ブロック長係数を含む送信情報を送受信するための新たなフォーマットによらず、ＳＲＳの送受信周期を短縮する。
【０１３１】
ＵＥ１１の機能ブロックは、図１４と同様になる。ただし、受信部４１の受信する送信情報には、送信周期分割係数およびバースト送信ブロック長係数は含まれていない。ＵＥ１１は、図１４に図示していない記憶装置に予め送信周期分割係数およびバースト送信ブロック長係数を記憶している。
【０１３２】
送信周期算出部４２は、受信した送信情報に含まれるＳＲＳ送信周期と、記憶装置に記憶されている送信周期分割係数とに基づいて、実ＳＲＳ送信周期を算出する。
同一帯域送信周期算出部４３は、受信した送信情報に含まれる情報に基づいて算出した同一帯域ＳＲＳ送信周期と、記憶装置に記憶されている送信周期分割係数とに基づいて、実同一帯域ＳＲＳ送信周期を算出する。
【０１３３】
バースト周期算出部４４は、受信した送信情報に含まれる情報に基づいて算出した同一帯域ＳＲＳ送信周期と、記憶装置に記憶されているバースト送信ブロック長係数とに基づいて、バースト送信周期を算出する。
【０１３４】
ｅＮＢ２１の機能ブロックは、図１５と同様になる。ただし、第３の実施の形態に係るｅＮＢ２１は、係数生成部５２を有していない。ｅＮＢ２１は、送信周期分割係数およびバースト送信ブロック長係数を予め記憶装置に記憶しており、記憶装置に記憶した送信周期分割係数およびバースト送信ブロック長係数に基づいてＵＥ１１〜１３のＳＲＳ送信の割り当てを行う。
【０１３５】
図２１は、第３の実施の形態に係る送信情報の送受信を示したシーケンス図である。
［ステップＳ３１］ｅＮＢ２１の周期情報生成部５１は、ＳＲＳパラメータを生成する。ｅＮＢ２１の送信部５３は、ＳＲＳパラメータを含む送信情報をＵＥ１１〜１３に送信する。
【０１３６】
［ステップＳ３２］ＵＥ１１〜１３の受信部４１は、ｅＮＢ２１から送信情報を受信する。ＵＥ１１〜１３の送信周期算出部４２は、受信した送信情報に含まれるＳＲＳ送信周期と、記憶装置に記憶されている送信周期分割係数とに基づいて、実ＳＲＳ送信周期を算出する。また、ＵＥ１１〜１３の同一帯域送信周期算出部４３は、受信した送信情報に含まれる情報に基づいて算出した同一帯域ＳＲＳ送信周期と、記憶装置に記憶されている送信周期分割係数とに基づいて、実同一帯域ＳＲＳ送信周期を算出する。また、ＵＥ１１〜１３のバースト周期算出部４４は、受信した送信情報に含まれる情報に基づいて算出した同一帯域ＳＲＳ送信周期と、記憶装置に記憶されているバースト送信ブロック長係数とに基づいて、バースト送信周期を算出する。ＵＥ１１〜１３の送信制御部４５は、バースト送信周期を送信周期分割係数で分割し、分割したバースト送信周期内において、ＳＲＳを実ＳＲＳ送信周期でバースト送信するとともに、同一帯域のＳＲＳを実同一帯域ＳＲＳ送信周期でバースト送信する。
【０１３７】
このように、ＵＥ１１〜１３およびｅＮＢ２１は、送信周期分割係数およびバースト送信ブロック長係数を予め決めておき、記憶装置に記憶する。これにより、ＵＥ１１〜１３およびｅＮＢ２１は、新たなフォーマットを形成せずに送信情報を送受信することができ、フェージングピッチ推定精度の低下を抑制することができる。
【０１３８】
［第４の実施の形態］
次に、第４の実施の形態を、図面を参照して詳細に説明する。第２の実施の形態では、ｅＮＢのセルに属しているＵＥが全てＳＲＳをバースト送信したが、第４の実施の形態では、一部のＵＥがＳＲＳをバースト送信するようにする。
【０１３９】
ＵＥ１１の機能ブロックは、図１４と同様になる。ただし、受信部４１の受信する送信情報には、ＳＲＳをバースト送信するか否かを示すバースト送信フラグが含まれている。
送信制御部４５は、送信情報にバースト送信する旨のバースト送信フラグが含まれている場合、ＳＲＳをバースト送信する。すなわち、送信制御部４５は、送信周期算出部４２、同一帯域送信周期算出部４３、およびバースト周期算出部４４によって算出された実ＳＲＳ送信周期、実同一帯域ＳＲＳ送信周期、およびバースト送信周期に基づいて、例えば、図１７〜図２０で説明したようにＳＲＳをバースト送信する。
【０１４０】
一方、送信制御部４５は、送信情報にバースト送信しない旨のバースト送信フラグが含まれている場合、ＳＲＳを非バースト送信する。すなわち、送信制御部４５は、ＳＲＳ送信周期、同一帯域ＳＲＳ送信周期に基づいて、例えば、図１０〜図１３で説明したようにＳＲＳを非バースト送信する。
【０１４１】
ｅＮＢ２１の機能ブロックは、図１５と同様になる。ただし、第４の実施の形態に係るｅＮＢ２１の係数生成部５２は、バースト送信フラグを生成する。係数生成部５２は、バースト送信させるＵＥに対して、バースト送信する旨のバースト送信フラグを生成し、バースト送信させないＵＥに対しては、バースト送信しない旨のバースト送信フラグを生成する。送信部５３は、ＳＲＳパラメータ、送信周期分割係数、バースト送信ブロック長係数、およびバースト送信フラグを含む送信情報をＵＥ１１〜１３に送信する。
【０１４２】
図２２は、第４の実施の形態に係る送信情報の送受信を示したシーケンス図である。
［ステップＳ４１］ｅＮＢ２１の周期情報生成部５１は、ＳＲＳパラメータを生成する。また、ｅＮＢ２１の係数生成部５２は、送信周期分割係数、バースト送信ブロック長係数、およびバースト送信フラグを生成する。ｅＮＢ２１の送信部５３は、ＳＲＳパラメータ、送信周期分割係数、バースト送信ブロック長係数、およびバースト送信フラグを含む送信情報をＵＥ１１〜１３に送信する。
【０１４３】
［ステップＳ４２］ＵＥ１１〜１３の受信部４１は、ｅＮＢ２１から送信情報を受信する。送信制御部４５は、送信情報にバースト送信する旨のバースト送信フラグが含まれている場合、ＳＲＳをバースト送信する。一方、送信制御部４５は、送信情報にバースト送信しない旨のバースト送信フラグが含まれている場合、ＳＲＳを非バースト送信する。
【０１４４】
図２３は、ＳＲＳ送信を説明する図のその１である。図２３に示すサブフレーム、無線フレーム番号、およびＲＢは、図１０と同様であり、その説明を省略する。図２３では、ｅＮＢ２１のセルに２２Ｋ台のＵＥが属しているとする。
【０１４５】
ｅＮＢ２１は、以下のＳＲＳ送信周期Ｔ１、同一帯域ＳＲＳ送信周期Ｔ２、送信周期分割係数Ｎ、およびバースト送信ブロック長係数ＭをＵＥに送信するとする。
Ｔ１＝４０ｍｓ
Ｔ２＝４０ｍｓ
Ｎ＝２
Ｍ＝４
また、ｅＮＢ２１は、例えば、図２３の左から奇数番目のサブフレームが割り当てられたＵＥグループ６１，６２に対しては、バースト送信する旨のバースト送信フラグを送信するとする。また、図２３の左から偶数番目のサブフレームが割り当てられたＵＥグループ６３，６４に対しては、バースト送信しない旨のバースト送信フラグを送信するとする。
【０１４６】
この場合、ＵＥグループ６１，６２は、受信した送信情報に基づいて、以下の実ＳＲＳ送信周期Ｔ１’および実同一帯域ＳＲＳ送信周期Ｔ２’を算出する。
Ｔ１’＝Ｔ１／Ｎ＝２０ｍｓ
Ｔ２’＝Ｔ２／Ｎ＝２０ｍｓ
また、ＵＥグループ６１，６２は、以下のバースト送信周期を算出する。
【０１４７】
Ｔｂ＝Ｔ２×Ｍ＝１６０ｍｓ
ＵＥグループ６１，６２は、バースト送信周期Ｔｂを送信周期分割係数Ｎで分割し、分割したバースト送信周期内において、ＳＲＳを実ＳＲＳ送信周期Ｔ１’でｅＮＢ２１にバースト送信するとともに、同一帯域のＳＲＳを実同一帯域ＳＲＳ送信周期Ｔ２’でバースト送信する。
【０１４８】
例えば、図２３に示すように、ＵＥグループ６１，６２は、バースト送信周期Ｔｂ（１６０ｍｓ）を送信周期分割係数Ｎ（２）で分割する（領域＃１と領域＃２に分割する）。そして、ＵＥグループ６１，６２は、分割したバースト送信周期内（領域＃１内または領域＃２内）において、ＳＲＳを実ＳＲＳ送信周期Ｔ１’（２０ｍｓ）でｅＮＢ２１にバースト送信するとともに、同一帯域のＳＲＳを実同一帯域ＳＲＳ送信周期Ｔ２’（２０ｍｓ）でバースト送信する。例えば、図２３の例の場合、ＵＥグループ６１は、領域＃１内において、ＳＲＳを実ＳＲＳ送信周期Ｔ１’（２０ｍｓ）でバースト送信するとともに、同一帯域のＳＲＳを実同一帯域ＳＲＳ送信周期Ｔ２’（２０ｍｓ）でバースト送信する。また、ＵＥグループ６２は、領域＃２内において、ＳＲＳを実ＳＲＳ送信周期Ｔ１’（２０ｍｓ）でバースト送信するとともに、同一帯域のＳＲＳを実同一帯域ＳＲＳ送信周期Ｔ２’（２０ｍｓ）でバースト送信する。
【０１４９】
これに対し、ＵＥグループ６３，６４は、非バースト送信を行う。例えば、図２３に示すように、ＵＥグループ６３，６４は、ＳＲＳをＳＲＳ送信周期Ｔ１（４０ｍｓ）で送信するとともに、同一帯域のＳＲＳを同一帯域ＳＲＳ送信周期Ｔ２（４０ｍｓ）で送信する。
【０１５０】
図２４は、ＳＲＳ送信を説明する図のその２である。図２３では、ＳＲＳ一括送信の場合を説明した。図２４では、ＳＲＳ分割送信の場合について説明する。なお、図２４に示すサブフレーム、無線フレーム番号、およびＲＢは、図１０と同様であり、その説明を省略する。図２４では、ｅＮＢ２１のセルに２２Ｋ台のＵＥが属しているとする。
【０１５１】
ｅＮＢ２１は、以下のＳＲＳ送信周期Ｔ１、同一帯域ＳＲＳ送信周期Ｔ２、送信周期分割係数Ｎ、およびバースト送信ブロック長係数ＭをＵＥに送信するとする。
Ｔ１＝１０ｍｓ
Ｔ２＝４０ｍｓ
Ｎ＝２
Ｍ＝４
また、ｅＮＢ２１は、例えば、図２４の左から奇数番目のサブフレームが割り当てられた（ＳＲＳ分割送信により、一部のサブフレームは偶数番目となっている）ＵＥグループ７１に対しては、バースト送信する旨のバースト送信フラグを送信するとする。また、ｅＮＢ２１は、偶数番目のサブフレームが割り当てられた（ＳＲＳ分割送信により、一部のサブフレームは奇数番目となっている）ＵＥグループ７２に対しては、バースト送信しない旨のバースト送信フラグを送信するとする。
【０１５２】
この場合、ＵＥグループ７１は、受信した送信情報に基づいて、以下の実ＳＲＳ送信周期Ｔ１’および実同一帯域ＳＲＳ送信周期Ｔ２’を算出する。
Ｔ１’＝Ｔ１／Ｎ＝５ｍｓ
Ｔ２’＝Ｔ２／Ｎ＝２０ｍｓ
また、ＵＥグループ７１は、以下のバースト送信周期を算出する。
【０１５３】
Ｔｂ＝Ｔ２×Ｍ＝１６０ｍｓ
ＵＥグループ７１は、バースト送信周期Ｔｂを送信周期分割係数Ｎで分割し、分割したバースト送信周期内において、ＳＲＳを実ＳＲＳ送信周期Ｔ１’でｅＮＢ２１にバースト送信するとともに、同一帯域のＳＲＳを実同一帯域ＳＲＳ送信周期Ｔ２’でバースト送信する。
【０１５４】
例えば、図２４に示すように、ＵＥグループ７１は、バースト送信周期Ｔｂ（１６０ｍｓ）を送信周期分割係数Ｎ（２）で分割する（領域＃１と領域＃２に分割する）。そして、ＵＥグループ７１は、分割したバースト送信周期内（領域＃１内または領域＃２内）において、ＳＲＳを実ＳＲＳ送信周期Ｔ１’（５ｍｓ）でｅＮＢ２１にバースト送信するとともに、同一帯域のＳＲＳを実同一帯域ＳＲＳ送信周期Ｔ２’（２０ｍｓ）でバースト送信する。例えば、図２４の例の場合、ＵＥグループ７１は、領域＃１内において、ＳＲＳを実ＳＲＳ送信周期Ｔ１’（５ｍｓ）でバースト送信するとともに、同一帯域のＳＲＳを実同一帯域ＳＲＳ送信周期Ｔ２’（２０ｍｓ）でバースト送信する。
【０１５５】
これに対し、ＵＥグループ７２のＵＥは、非バースト送信を行う。例えば、図２４に示すように、ＵＥグループ７２は、ＳＲＳをＳＲＳ送信周期Ｔ１（４０ｍｓ）で送信するとともに、同一帯域のＳＲＳを同一帯域ＳＲＳ送信周期Ｔ２（４０ｍｓ）で送信する。
【０１５６】
このように、ＵＥの一部に対してはバースト送信を行い、一部のＵＥに対しては非バースト送信を行うようにすることもできる。
［第５の実施の形態］
次に、第５の実施の形態を、図面を参照して詳細に説明する。第５の実施の形態では、バースト送信するサブフレームと非バースト送信するサブフレームとが予め決まっている。ｅＮＢは、バースト送信できるＵＥに対しては、バースト送信するサブフレームを割り当て、バースト送信できないＵＥに対しては、非バースト送信するサブフレームを割り当てる。これにより、ＳＲＳのバースト送信対応のＵＥとバースト送信非対応のＵＥは、ｅＮＢのセルに混在して、ｅＮＢと無線通信を行うことができる。
【０１５７】
図２５は、第５の実施の形態に係るｅＮＢの機能ブロックを示した図である。図２５に示すように、ｅＮＢ８０は、通信部８１および割り当て部８２を有している。
通信部８１は、ＳＲＳ送信周期で制御信号を送信するとともに、同一帯域ＳＲＳ送信周期で同一帯域の制御信号を送信するＵＥと無線通信を行う。すなわち、通信部８１は、バースト送信非対応のＵＥと無線通信を行う。
【０１５８】
また、通信部８１は、ＳＲＳ送信周期より短い実ＳＲＳ送信周期で制御信号をバースト送信するとともに、同一帯域ＳＲＳ送信周期より短い実同一帯域ＳＲＳ送信周期で同一帯域の制御信号をバースト送信するＵＥと無線通信を行う。すなわち、通信部８１は、バースト送信対応のＵＥと無線通信を行う。
【０１５９】
割り当て部８２は、バースト送信非対応のＵＥに対しては、バースト送信が非適用のサブフレームを割り当てる。また、割り当て部８２は、バースト送信対応のＵＥに対しては、バースト送信が適用されるサブフレームを割り当てる。割り当て部８２は、例えば、ＵＥの機種情報を取得することによって、バースト送信対応のＵＥであるか、バースト送信非対応のＵＥであるかを認識することができる。
【０１６０】
例えば、インデックスが奇数のサブフレームでは、ＳＲＳを非バースト送信し、インデックスが偶数のサブフレームでは、ＳＲＳをバースト送信すると決めたとする。この場合、割り当て部８２は、バースト送信非対応のＵＥに対しては、インデックスが奇数のサブフレームを割り当て、バースト送信対応のＵＥに対しては、インデックスが偶数のサブフレームを割り当てる。サブフレームの割り当ては、srs-ConfigIndexのパラメータでＵＥに通知することができる。
【０１６１】
ｅＮＢ８０とバースト送信対応のＵＥは、第３の実施例で説明したように、送信周期分割係数およびバースト送信ブロック長係数が予め決められており、記憶装置に記憶している。これにより、バースト送信対応のＵＥは、新たなフォーマットによらず、ＳＲＳのバースト送信をすることができる。そして、ＵＥとｅＮＢ８０は、バースト送信のための新たなフォーマットによらずに送信情報を送受信するので、バースト送信対応のＵＥとバースト送信非対応のＵＥは、ｅＮＢのセルに混在して無線通信することができる。
【０１６２】
図２６は、送信情報の送受信を示したシーケンス図である。なお、ｅＮＢ８０は、送信周期分割係数およびバースト送信ブロック長係数を予め記憶装置に記憶している。また、バースト送信対応のＵＥは、送信周期分割係数およびバースト送信ブロック長係数を予め記憶装置に記憶している。
【０１６３】
［ステップＳ５１］図２５に図示していないｅＮＢ８０の周期情報生成部は、ＳＲＳパラメータを生成する。図２５に図示していないｅＮＢ８０の送信部は、ＳＲＳパラメータを含む送信情報をＵＥに送信する。
【０１６４】
［ステップＳ５２］バースト送信対応のＵＥの受信部は、ｅＮＢ２１から送信情報を受信する。バースト送信対応のＵＥの送信周期算出部は、受信した送信情報に含まれるＳＲＳ送信周期と、記憶装置に記憶されている送信周期分割係数とに基づいて、実ＳＲＳ送信周期を算出する。また、バースト送信対応のＵＥの同一帯域送信周期算出部は、受信した送信情報に含まれる情報に基づいて算出した同一帯域ＳＲＳ送信周期と、記憶装置に記憶されている送信周期分割係数とに基づいて、実同一帯域ＳＲＳ送信周期を算出する。また、バースト送信対応のＵＥのバースト周期算出部は、受信した送信情報に含まれる情報に基づいて算出した同一帯域ＳＲＳ送信周期と、記憶装置に記憶されているバースト送信ブロック長係数とに基づいて、バースト送信周期を算出する。
【０１６５】
バースト送信対応のＵＥの送信制御部は、ｅＮＢ８０から割り当てられたバースト送信適用のサブフレームにて、ＳＲＳをバースト送信する。バースト送信対応のＵＥの送信制御部は、バースト送信周期を送信周期分割係数で分割し、分割したバースト送信周期内において、ＳＲＳを実ＳＲＳ送信周期でバースト送信するとともに、同一帯域のＳＲＳを実同一帯域ＳＲＳ送信周期でバースト送信する。
【０１６６】
一方、バースト送信非対応のＵＥは、受信した送信情報に含まれるパラメータから、ＳＲＳ送信周期と同一帯域ＳＲＳ送信周期とを取得する。バースト送信非対応のＵＥは、ｅＮＢ８０から割り当てられたバースト送信非適用のサブフレームにて、ＳＲＳ送信周期と同一帯域ＳＲＳ送信周期とに基づき、ＳＲＳを非バースト送信する。
【０１６７】
このように、バースト送信するサブフレームと非バースト送信するサブフレームとを決め、バースト送信対応のＵＥに対しては、バースト送信が適用されるサブフレームを割り当て、バースト送信非対応のＵＥに対しては、バースト送信が非適用のサブフレームを割り当てるようにした。これにより、ＳＲＳのバースト送信対応のＵＥとバースト送信非対応のＵＥは、ｅＮＢのセルに混在して、ｅＮＢと無線通信を行うことができる。
【０１６８】
［第６の実施の形態］
次に、第６の実施の形態を、図面を参照して詳細に説明する。第５の実施の形態では、バースト送信できるＵＥに対しては、バースト送信が適用されるサブフレームを割り当て、バースト送信できないＵＥに対しては、バースト送信が非適用のサブフレームを割り当てた。第６の実施の形態では、バースト送信できるＵＥに対しては、バースト送信が適用されるＲＥを割り当て、バースト送信できないＵＥに対しては、バースト送信が非適用のＲＥを割り当てる。
【０１６９】
図２７は、第６の実施の形態に係るＵＥ多重を説明する図である。図２７には、４ＲＢのＲＢ９１が示してある。また、図２７には、ＲＢ９１の１ＲＢを拡大したＲＢ９２が示してある。
【０１７０】
ＲＢ９２は、ＵＥを多重することができる。例えば、ＲＢ９２のＲＥは、ＳＣ（Sub Carrier）番号０〜１１と、ＣＳ（Cyclic Shift）多重０〜７とで区別することができる。ＳＣ番号には、偶数番目のＣｏｍｂ＝０と奇数番目のＣｏｍｂ＝１とに、異なるＵＥを割り当てることができる。また、ＣＳ多重０〜７のそれぞれにも異なるＵＥを割り当てることができる。よって、１ＲＢには、１６台のＵＥを多重することができる。
【０１７１】
ｅＮＢは、１サブフレームのＣｏｍｂとＣＳ多重とを指定して、ＵＥを割り当てることができる。従って、予め、所定のＣｏｍｂとＣＳ多重とで指定されるＲＥでは、バースト送信をし、所定のＣｏｍｂとＣＳ多重とで指定されるＲＥでは、バースト送信をしないと決めることができる。そして、ｅＮＢは、バースト送信対応のＵＥに対しては、バースト送信が適用されるＲＥを割り当て、バースト送信非対応のＵＥに対しては、バースト送信が適用さされないＲＥを割り当てることができる。
【０１７２】
例えば、Ｃｏｍｂ＝０のＲＥは、バースト送信適用のＲＥと決めることができ、Ｃｏｍｂ＝１のＲＥは、バースト送信非適用のＲＥと決めることができる。そして、ｅＮＢは、バースト送信対応のＵＥに対しては、Ｃｏｍｂ＝０のＲＥを割り当て、バースト送信非対応のＵＥに対しては、Ｃｏｍｂ＝１のＲＥを割り当てる。ＣＳ多重においても同様に、バースト送信対応のＵＥとバースト送信非対応のＵＥを割りてることができる。ＲＥのＵＥへの割り当ては、図８で説明したcyclicShiftおよびtransmissionCombのパラメータで通知することができる。
【０１７３】
図２８は、ｅＮＢの機能ブロックを示した図である。図２８に示すように、ｅＮＢ１００は、通信部８１および割り当て部１０１を有している。通信部８１は、図２５で説明した通信部８１と同様であり、その説明を省略する。
【０１７４】
割り当て部１０１は、バースト送信非対応のＵＥに対しては、バースト送信が非適用のＲＥを割り当てる。また、割り当て部１０１は、バースト送信対応のＵＥに対しては、バースト送信が適用されるＲＥを割り当てる。割り当て部１０１は、例えば、ＵＥの機種情報を取得することによって、バースト送信対応のＵＥであるか、バースト送信非対応のＵＥであるかを認識することができる。
【０１７５】
図２９は、送信情報の送受信を示したシーケンス図である。なお、ｅＮＢ１００は、送信周期分割係数およびバースト送信ブロック長係数を予め記憶装置に記憶している。また、バースト送信対応のＵＥは、送信周期分割係数およびバースト送信ブロック長係数を予め記憶装置に記憶している。
【０１７６】
［ステップＳ６１］図２８に図示していないｅＮＢ１００の周期情報生成部は、ＳＲＳパラメータを生成する。図２８に図示していないｅＮＢ１００の送信部は、ＳＲＳパラメータを含む送信情報をＵＥに送信する。
【０１７７】
［ステップＳ６２］バースト送信対応のＵＥの受信部は、ｅＮＢ２１から送信情報を受信する。バースト送信対応のＵＥの送信周期算出部は、受信した送信情報に含まれるＳＲＳ送信周期と、記憶装置に記憶されている送信周期分割係数とに基づいて、実ＳＲＳ送信周期を算出する。また、バースト送信対応のＵＥの同一帯域送信周期算出部は、受信した送信情報に含まれる情報に基づいて算出した同一帯域ＳＲＳ送信周期と、記憶装置に記憶されている送信周期分割係数とに基づいて、実同一帯域ＳＲＳ送信周期を算出する。また、バースト送信対応のＵＥのバースト周期算出部は、受信した送信情報に含まれる情報に基づいて算出した同一帯域ＳＲＳ送信周期と、記憶装置に記憶されているバースト送信ブロック長係数とに基づいて、バースト送信周期を算出する。
【０１７８】
バースト送信対応のＵＥの送信制御部は、ｅＮＢ１００から割り当てられたバースト送信適用のＲＥにて、ＳＲＳをバースト送信する。バースト送信対応のＵＥの送信制御部は、バースト送信周期を送信周期分割係数で分割し、分割したバースト送信周期内において、ＳＲＳを実ＳＲＳ送信周期でバースト送信するとともに、同一帯域のＳＲＳを実同一帯域ＳＲＳ送信周期でバースト送信する。
【０１７９】
一方、バースト送信非対応のＵＥは、受信した送信情報に含まれるパラメータから、ＳＲＳ送信周期と同一帯域ＳＲＳ送信周期とを取得する。バースト送信非対応のＵＥは、ｅＮＢ１００から割り当てられたバースト送信非適用のＲＥにて、ＳＲＳ送信周期と同一帯域ＳＲＳ送信周期とに基づき、ＳＲＳを非バースト送信する。
【０１８０】
このように、バースト送信するＲＥと非バースト送信するＲＥとを決め、バースト送信対応のＵＥに対しては、バースト送信が適用されるＲＥを割り当て、バースト送信非対応のＵＥに対しては、バースト送信が非適用のＲＥを割り当てるようにした。これにより、ＳＲＳのバースト送信対応のＵＥとバースト送信非対応のＵＥは、ｅＮＢのセルに混在して、ｅＮＢと無線通信を行うことができる。
【符号の説明】
【０１８１】
１，２  無線端末
１ａ  受信部
１ｂ  送信制御部
３  基地局
３ａ  周期情報生成部
３ｂ  係数生成部
３ｃ  送信部
４，５  領域
【図１】
2012109644.tif 000003
【図２】
2012109644.tif 000004
【図３】
2012109644.tif 000005
【図４】
2012109644.tif 000006
【図５】
2012109644.tif 000007
【図６】
2012109644.tif 000008
【図７】
2012109644.tif 000009
【図８】
2012109644.tif 000010
【図９】
2012109644.tif 000011
【図１０】
2012109644.tif 000012
【図１１】
2012109644.tif 000013
【図１２】
2012109644.tif 000014
【図１３】
2012109644.tif 000015
【図１４】
2012109644.tif 000016
【図１５】
2012109644.tif 000017
【図１６】
2012109644.tif 000018
【図１７】
2012109644.tif 000019
【図１８】
2012109644.tif 000020
【図１９】
2012109644.tif 000021
【図２０】
2012109644.tif 000022
【図２１】
2012109644.tif 000023
【図２２】
2012109644.tif 000024
【図２３】
2012109644.tif 000025
【図２４】
2012109644.tif 000026
【図２５】
2012109644.tif 000027
【図２６】
2012109644.tif 000028
【図２７】
2012109644.tif 000029
【図２８】
2012109644.tif 000030
【図２９】
2012109644.tif 000031